(57)【要約】【課題】アール状通路に進入した異物が遊技球とともに揚送されることを効果的に防止することができる揚送装置を提供すること。【解決手段】揚送装置本体の下部ローラの外周面に沿って延設される略円弧状のアール状通路は、遊技球の直径よりも広い間隔で離間配置され、前記下部ローラの回転方向に沿って遊技球を案内するためのガイド板１５０，１５０と、隣り合うガイド板１５１との間に遊技球の直径よりも狭い間隙を設けて配置され、前記下部ローラに対して遊技球を押圧するための押圧面１５１ａを有する押圧板１５１と、からなり、押圧面１５１ａの少なくとも一部はガイド板１５０，１５０間に弾性変形可能に形成されている。【選択図】図８
2010057632.tif 000002
【特許請求の範囲】
【請求項１】
上下方向に延びる本体の上下に設けられた上部ローラと下部ローラとに掛け渡され、前記上部ローラ及び前記下部ローラの回転により周回する搬送ベルトによって遊技球を揚送する揚送装置であって、
前記下部ローラの下方に配置され、該下部ローラに沿って略円弧状に形成されたアール状通路を有し、
該アール状通路は、
前記遊技球の直径よりも広い間隔で離間配置され、前記下部ローラの回転方向に沿って遊技球を案内するためのガイド部材と、
隣り合う前記ガイド部材との間に前記遊技球の直径よりも狭い間隙を設けて配置され、前記下部ローラに対して遊技球を押圧するための押圧面部を有する押圧部材と、を備えて形成され、
前記押圧面部の少なくとも一部は前記ガイド部材間に弾性変形可能に形成されている、
ことを特徴とする揚送装置。
【請求項２】
上下方向に延びる本体の上下に設けられた上部ローラと下部ローラとに掛け渡され、前記上部ローラ及び前記下部ローラの回転により周回する搬送ベルトによって遊技球を揚送する揚送装置であって、
前記下部ローラの下方に配置され、該下部ローラに沿って略円弧状に形成されたアール状通路を有し、
該アール状通路は、
前記遊技球の直径よりも広い間隔で離間配置され、前記下部ローラの回転方向に沿って遊技球を案内するためのガイド部材と、
隣り合う前記ガイド部材との間に前記遊技球の直径よりも狭い間隙を設けて配置され、前記下部ローラに対して遊技球を押圧するための押圧面部を有する押圧部材と、を備えて形成され、
前記押圧面部を除く押圧部材の一部は、弾性変形可能に形成されてなり、前記押圧面部を除く押圧部材の一部が弾性変形することにより前記押圧面部が前記ガイド部材間に移動可能に形成されている、
ことを特徴とする揚送装置。
【請求項３】
上下方向に延びる本体の上下に設けられた上部ローラと下部ローラとに掛け渡され、前記上部ローラ及び前記下部ローラの回転により周回する搬送ベルトによって遊技球を揚送する揚送装置であって、
前記下部ローラの下方に配置され、該下部ローラに沿って略円弧状に形成されたアール状通路を有し、
該アール状通路は、
前記遊技球の直径よりも広い間隔で離間配置され、前記下部ローラの回転方向に沿って遊技球を案内するためのガイド部材と、
隣り合う前記ガイド部材との間に前記遊技球の直径よりも狭い間隙を設けて配置され、前記下部ローラに対して遊技球を押圧するための押圧面部を有する押圧部材と、を備えて形成され、
前記押圧部材を弾性力により保持する保持部を備え、前記押圧部材が前記保持部の弾性力に抗して移動することにより前記押圧面部が前記ガイド部材間に移動可能に形成されている、
ことを特徴とする揚送装置。
【請求項４】
複数の前記ガイド部材と複数の前記押圧部材を設け、前記アール状通路を複数形成してなるものにおいて、各々の前記押圧部材は、それぞれ別個に形成されるとともに、前記ガイド部材に対して着脱自在に設けられている、
ことを特徴とする請求項１〜３のいずれかに記載の揚送装置。
【請求項５】
前記ガイド部材と前記押圧部材は上下方向に延在する平板部を有してなり、
前記平板部にそれぞれ形成した貫通穴に挿通ピンを挿通させることで前記押圧部材を前記ガイド部材に固定する、
ことを特徴とする請求項１〜４のいずれかに記載の揚送装置。
【請求項６】
前記ガイド部材と前記押圧部材は上下方向に延在する平板部を有してなり、
前記押圧部材の平板部に、前記ガイド部材に向けて開放する開口部または凹部を形成することによって前記間隙よりも幅方向に広い空間部を形成する、
ことを特徴とする請求項１〜５のいずれかに記載の揚送装置。
【請求項７】
前記アール状通路に遊技球を誘導する球導入通路が形成された球導入部材と、
前記ガイド部材と前記押圧部材とを備えてなるアール状通路部材と、
該アール状通路部材を前記下部ローラの下方位置に着脱自在に取り付けるためのベース板と、を備え、
前記アール状通路部材は、前記ベース板上を前記下部ローラの軸心方向に交差する方向にスライド移動させることで前記下部ローラの下方位置に移動可能であり、
前記アール状通路部材の前記球導入部材側の下面には、上方に傾斜する傾斜面が形成されている、
ことを特徴とする請求項１〜６のいずれかに記載の揚送装置。
【発明の詳細な説明】
【技術分野】
【０００１】
本発明は、上下方向に延びる本体の上下に設けられた上部ローラと下部ローラとに掛け渡され、前記上部ローラ及び前記下部ローラの回転により周回する搬送ベルトによって遊技球を揚送する揚送装置に関する。
【背景技術】
【０００２】
従来、この種の揚送装置において、下部ローラの下方に配置され、該下部ローラに沿って略円弧状に形成されたアール状通路を有するものがある。
【０００３】
このようなアール状通路を構成するアール状通路部材としては、遊技球が通過する溝部が複数並設されてなる柔軟弾性体からなるもの（例えば、特許文献１参照）や、薄板帯状部材を遊技球の直径幅よりも小さい幅間隔でスノコ状に並設配置することにより形成されるもの（例えば、特許文献２参照）等があった。
【０００４】
【特許文献１】特開登録第３９５７０９３号公報（第３頁、第３−４図）
【特許文献２】実開平４−９０３８７号公報（図４）
【発明の開示】
【発明が解決しようとする課題】
【０００５】
上記のような揚送装置が設置される遊技機設置島にあっては、当該遊技機設置島の設置作業あるいは機種変更作業の際において、遊技機設置島内に配設される遊技球の循環経路内に釘やボルト等の異物が混入することがあり、このような異物が遊技球とともに揚送装置内に進入して揚送されてしまうと、揚送装置の搬送ベルトが破損する虞があるばかりか、循環経路から各遊技機へ遊技球を補給するための補給経路内において球詰まりを引き起こし、遊技機への遊技球の補給に悪影響を及ぼす虞があった。
【０００６】
しかし、上記特許文献１に記載された揚送装置のアール状通路は有底の溝状にて構成されていることで、アール状通路内に進入した異物は逃げ場がないため、遊技球とともに異物が揚送されてしまうことがあった。
【０００７】
また、上記特許文献２に記載された揚送装置のアール状通路はスノコ状に構成されているため、ある程度の大きさの異物は隣り合う薄板帯状部材間の隙間から落下するものの、異物が隙間よりも大きい場合にはうまく落下せず、遊技球とともに異物が揚送されてしまうことがあった。
【０００８】
本発明は、このような問題点に着目してなされたものであり、アール状通路に進入した異物が遊技球とともに揚送されることを効果的に防止することができる揚送装置を提供することを目的とする。
【課題を解決するための手段】
【０００９】
上記課題を解決するために、本発明の請求項１に記載の揚送装置は、
上下方向に延びる本体（１００）の上下に設けられた上部ローラ（１０１）と下部ローラ（１０２）とに掛け渡され、前記上部ローラ及び前記下部ローラの回転により周回する搬送ベルト（１０３）によって遊技球（パチンコ球）を揚送する揚送装置（２５）であって、
前記下部ローラの下方に配置され、該下部ローラに沿って略円弧状に形成されたアール状通路（１２１）を有し、
該アール状通路は、
前記遊技球の直径（Ｌ１）よりも広い間隔（Ｌ２，Ｌ２’）で離間配置され、前記下部ローラの回転方向に沿って遊技球を案内するためのガイド部材（ガイド板１５０）と、
隣り合う前記ガイド部材との間に前記遊技球の直径よりも狭い間隙（Ｓ１）を設けて配置され、前記下部ローラに対して遊技球を押圧するための押圧面部（押圧板１５１の押圧面１５１ａ／帯状弾性部１８０ａ，１８０ｂの押圧面１８０ｃ，１８０ｃ）を有する押圧部材（押圧板１５１）と、を備えて形成され、
前記押圧面部の少なくとも一部（実施例１の押圧面１５１ａ、変形例１の帯状弾性部１８０ａ，１８０ｂの押圧面１８０ｃ，１８０ｃ）は前記ガイド部材間に弾性変形可能に形成されている、
ことを特徴としている。
この特徴によれば、アール状通路内に進入した釘やボルト等の異物の一部がガイド部材と押圧部材との間の間隙よりも大きい場合でも、押圧面部の少なくとも一部がガイド部材間で弾性変形することにより、異物がガイド部材と押圧部材との間の間隙に嵌りやすくなるとともに、間隙に嵌った異物は押圧面部の弾性復帰力によりガイド部材と押圧部材との間に挟まれて抜けにくくなることで、後続の遊技球により押されても、該後続球とともに揚送されにくくなる。よって、異物をアール状通路にて滞留させることができるため、搬送ベルトの破損や、遊技機への遊技球の補給に支障をきたすことが防止される。
【００１０】
本発明の請求項２に記載の揚送装置は、
上下方向に延びる本体（１００）の上下に設けられた上部ローラ（１０１）と下部ローラ（１０２）とに掛け渡され、前記上部ローラ及び前記下部ローラの回転により周回する搬送ベルト（１０３）によって遊技球（パチンコ球）を揚送する揚送装置（２５）であって、
前記下部ローラの下方に配置され、該下部ローラに沿って略円弧状に形成されたアール状通路（１２１）を有し、
該アール状通路は、
前記遊技球の直径（Ｌ１）よりも広い間隔（Ｌ２，Ｌ２’）で離間配置され、前記下部ローラの回転方向に沿って遊技球を案内するためのガイド部材（ガイド板１５０）と、
隣り合う前記ガイド部材との間に前記遊技球の直径よりも狭い間隙（Ｓ１）を設けて配置され、前記下部ローラに対して遊技球を押圧するための押圧面部（押圧面１５１ａ）を有する押圧部材（押圧板１５１）と、を備えて形成され、
前記押圧面部を除く押圧部材の一部（変形例２の弾性部１５１Ａ’’’）は、弾性変形可能に形成されてなり、前記押圧面部を除く押圧部材の一部（変形例２の弾性部１５１Ａ’’’）が弾性変形することにより前記押圧面部（変形例２の上部１５１Ａ’’における押圧面１５１ａ）が前記ガイド部材間に移動（揺動）可能に形成されている、
ことを特徴としている。
この特徴によれば、アール状通路内に進入した釘やボルト等の異物の一部がガイド部材と押圧部材との間の間隙よりも大きい場合でも、押圧面部を除く押圧部材の一部が変形して該押圧面部がガイド部材間で移動することにより、異物がガイド部材と押圧部材との間の間隙に嵌りやすくなるとともに、間隙に嵌った異物は押圧面部の弾性復帰力によりガイド部材と押圧部材との間に挟まれて抜けにくくなることで、後続の遊技球により押されても、該後続球とともに揚送されにくくなる。よって、異物をアール状通路にて滞留させることができるため、搬送ベルトの破損や、遊技機への遊技球の補給に支障をきたすことが防止される。
【００１１】
本発明の請求項３に記載の揚送装置は、
上下方向に延びる本体（１００）の上下に設けられた上部ローラ（１０１）と下部ローラ（１０２）とに掛け渡され、前記上部ローラ及び前記下部ローラの回転により周回する搬送ベルト（１０３）によって遊技球（パチンコ球）を揚送する揚送装置（２５）であって、
前記下部ローラの下方に配置され、該下部ローラに沿って略円弧状に形成されたアール状通路（１２１）を有し、
該アール状通路は、
前記遊技球の直径（Ｌ１）よりも広い間隔（Ｌ２，Ｌ２’）で離間配置され、前記下部ローラの回転方向に沿って遊技球を案内するためのガイド部材（ガイド板１５０）と、
隣り合う前記ガイド部材との間に前記遊技球の直径よりも狭い間隙（Ｓ１）を設けて配置され、前記下部ローラに対して遊技球を押圧するための押圧面部（押圧面１５１ａ）を有する押圧部材（押圧板１５１）と、を備えて形成され、
前記押圧部材を弾性力により保持する保持部（変形例３のコイルバネ１７２）を備え、前記押圧部材が前記保持部の弾性力（付勢力）に抗して移動することにより前記押圧面部が前記ガイド部材間に移動可能に形成されている、
ことを特徴としている。
この特徴によれば、アール状通路内に進入した釘やボルト等の異物の一部がガイド部材と押圧部材との間の間隙よりも大きい場合でも、保持部の弾性力に抗して押圧部材がアール状通路の幅方向に向けて移動することにより、異物がガイド部材と押圧部材との間の間隙に嵌りやすくなるとともに、間隙に嵌った異物は押圧面部の弾性復帰力によりガイド部材と押圧部材との間に挟まれて抜けにくくなることで、後続の遊技球により押されても、該後続球とともに揚送されにくくなる。よって、異物をアール状通路にて滞留させることができるため、搬送ベルトの破損や、遊技機への遊技球の補給に支障をきたすことが防止される。
【００１２】
本発明の請求項４に記載の揚送装置は、請求項１〜３のいずれかに記載の揚送装置であって、
複数（８枚）の前記ガイド部材（ガイド板１５０）と複数（７枚）の前記押圧部材（押圧板１５１）を設け、前記アール状通路（１２１）を複数（７列）形成してなるものにおいて、各々の前記押圧部材は、それぞれ別個に形成されるとともに、前記ガイド部材に対して着脱自在に設けられている、
ことを特徴としている。
この特徴によれば、異物により押圧部材が変形したり破損した場合等に、該押圧部材を各アール状通路ごとに個別に交換することができる。
【００１３】
本発明の請求項５に記載の揚送装置は、請求項１〜４のいずれかに記載の揚送装置であって、
前記ガイド部材（ガイド板１５０）と前記押圧部材（押圧板１５１）は上下方向に延在する平板部を有してなり、
前記平板部に形成した貫通穴（１６６ａ，１６９ａ，１６６ｂ，１６９ｂ）に挿通ピン（１６５ａ，１６５ｂ）を挿通させることで前記押圧部材を前記ガイド部材に固定する、
ことを特徴としている。
この特徴によれば、貫通穴に挿通ピンを挿通するだけで、ガイド部材に対して押圧部材を簡単に組み付けることができる。
【００１４】
本発明の請求項６に記載の揚送装置は、請求項１〜５のいずれかに記載の揚送装置であって、
前記ガイド部材（ガイド板１５０）と前記押圧部材（押圧板１５１）は上下方向に延在する平板部を有してなり、
前記押圧部材の平板部に、前記ガイド部材に向けて開放する開口部（変形例１の貫通口１８１ａ，１８１ｂ）または凹部を形成することによって前記間隙（Ｓ１）よりも幅方向に広い空間部（Ｓ２）を形成する、
ことを特徴としている。
この特徴によれば、押圧部材における押圧面部の下方に、間隙よりも幅方向に広い空間部が形成され、これによりガイド部材と押圧部材との間の間隙に嵌り込んだ異物がそのまま下方の空間部に落下しやすくなることで、異物が後続球とともに揚送されにくくなるばかりか、間隙に押し込まれた異物がそのまま空間部に落下して収容されることにより、押圧面部や押圧部材が弾性復帰されるため、異物が収容された後の遊技球の移送に支障をきたすことがない。
【００１５】
本発明の請求項７に記載の揚送装置は、請求項１〜６のいずれかに記載の揚送装置であって、
前記アール状通路（１２１）に遊技球（パチンコ球）を誘導する球導入通路（１２３）が形成された球導入部材（球導入通路カバー１０６）と、
前記ガイド部材と前記押圧部材とを備えてなるアール状通路部材（アール状通路カバー１０５）と、
該アール状通路部材を、前記下部ローラ（１０２）の下方位置に着脱自在に取り付けるためのベース板（ベース板１１０）と、を備え、
前記アール状通路部材は、前記ベース板上を前記下部ローラの軸心（下部軸１０２ａ）方向に交差する方向にスライド移動させることで前記下部ローラの下方位置に移動可能であり（図１３（ｂ）参照）、
前記アール状通路部材の前記球導入部材側の下面には、上方に傾斜する傾斜面（１５０ｂ）が形成されている、
ことを特徴としている。
この特徴によれば、傾斜面とベース板の上面との間に間隙が形成されることで、アール状通路内に遊技球が詰まっている状態でも、アール状通路部材の球導入部材側の端部を下方に傾けることができるため、アール状通路部材を手前側に簡単に引き出すことができ、これによりメンテナンス作業が容易になる。
【発明を実施するための最良の形態】
【００１６】
本発明の実施例を以下に説明する。
【実施例１】
【００１７】
本発明の実施例を図面に基づいて説明すると、まず図１は、本発明の実施例としての遊技機設置島１の内部構造を示す断面図である。図２は、図１のＡ−Ａ断面図である。図３は、図１の遊技機設置島の長手方向の中央下部を示す平面図である。尚、以下の説明において、図１の手前側を遊技機設置島の前側、奥側を後側、左右方向を左右側として説明する。
【００１８】
図１に示されるように、遊技機設置島１は、左右方向に向けて細長に形成されており、その前後面には、遊技機の一例であるパチンコ機２及び該パチンコ機２において遊技に使用する遊技媒体としてのパチンコ球の貸出を実施させる球貸処理機（図示略）が、長手方向（左右方向）に向けて複数列設されている。
【００１９】
遊技機設置島１の略中央上部には、パチンコ球が貯留される上部タンク３が設けられており、この上部タンク３内に貯留されたパチンコ球は、遊技機設置島１内の長手方向両端部に向かってそれぞれ下方に傾斜するように配設された左右の供給樋４に流入するようになっている。これら左右の供給樋４には、流下するパチンコ球を各パチンコ機２に供給するための支流樋５が、供給樋４の前後（球の流下方向に向かって左右）の側板に、流下方向に向かって所定間隔おきに複数配設されており、これら支流樋５に供給されたパチンコ球は、各パチンコ機２の背面に設けられた球タンク６に供給されるようになっている。
【００２０】
供給樋４の下流側端部には、例えばメンテナンス時等において供給樋４内のパチンコ球を後述する下部樋１０内に流出させる球抜き管７が設けられている。尚、通常時にはこの球抜き管７内をパチンコ球が流下しないようになっている。
【００２１】
遊技機設置島１の内部には、パチンコ機２より排出されたアウト球を一時貯留するアウト球タンク８が、パチンコ機２が載置される繕板１３の上面に、各パチンコ機２に対応するように複数設けられている。
【００２２】
また、上部タンク３からは、該上部タンク３内部に貯留されるパチンコ球の貯留量が所定量以上となってオーバーフローしたパチンコ球を、遊技機設置島１の長手方向の略中央位置に配置される揚送装置２５を挟んでその左右側、つまり遊技機設置島１の左右両側（長手方向の両端側）の下部にそれぞれ配置される第１のタンクとしての島タンク９Ｌ，９Ｒそれぞれに導くオーバーフロー樋１２が左右に向けて延設されているとともに、これら左右のオーバーフロー樋１２の下流側端部からは、オーバーフロー管１８が垂下されている。
【００２３】
左右の島タンク９Ｌ，９Ｒ内には、図１〜図３に示されるように、球抜き管７及びオーバーフロー管１８から排出されるパチンコ球が流入する下部樋１０Ｌ，１０Ｒが、それぞれ遊技機設置島１における長手方向中央に向かって下方に傾斜するように配設されている。下部樋１０Ｌ，１０Ｒ内を流下するパチンコ球は、前後（球の流下方向に向かって左右）の側板に複数形成された開口１１（図２参照）、及びその底板における下流側端部に形成された開口１４（図３参照）を介して、島タンク９Ｌ，９Ｒ内の長手方向に向けてパチンコ球が偏りなくほぼ均等に貯留されるように落下される。
【００２４】
遊技機設置島１の左側端部には、遊技者が獲得したパチンコ球を計数するための計数装置１５が配設されており、この計数装置１５内に投入されたパチンコ球は、該計数装置１５に設けられている球投入口１５ａから連設された返却路１６を介して下部樋１０Ｌに流入し、島タンク９Ｌ内に排出されて貯留される。つまり、計数装置１５にて計数された計数済み球は、遊技機設置島１の内部における左側の島タンク９Ｌに返却されるようになっている。
【００２５】
第１のタンクとしての左右の島タンク９Ｌ，９Ｒ内における下部樋１０Ｌ，１０Ｒの前後側（球の流下方向に向かって左右側）には、図２，図３に示されるように、各アウト球タンク８から排出されるパチンコ球を回収する側部樋１７Ｌ，１７Ｒが並設されている。
【００２６】
左右の島タンク９Ｌ，９Ｒと後述する揚送装置２５との間には、図１及び図３に示されるように、上面が開口する有底箱状をなすとともに、底面が遊技機設置島１の中央方向に向かって下方に傾斜する第２のタンクとしてのバッファタンク２００Ｌ，２００Ｒが設けられている。つまり、第１のタンクとしての島タンク９Ｌ，９Ｒ及び第２のタンクとしてのバッファタンク２００Ｌ，２００Ｒにより、本発明の下部タンクが構成されている。
【００２７】
側部樋１７Ｌ，１７Ｒの下流側端部は、バッファタンク２００Ｌ，２００Ｒ内まで延設されていて、側部樋１７Ｌ，１７Ｒ内に回収されたパチンコ球は、主に島タンク９Ｌ，９Ｒ内に貯留されることなく、直接バッファタンク２００Ｌ，２００Ｒに流下するようになっている。尚、バッファタンク２００Ｌ，２００Ｒ内に貯留されたパチンコ球により側部樋１７Ｌ，１７Ｒの下流端開口が塞がれて、パチンコ球が上流側に向けて充満した場合には、側部樋１７Ｌ，１７Ｒの内側面における島タンク９Ｌ，９Ｒの下流側端部付近に形成された開口１７ａ（図３参照）から島タンク９Ｌ，９Ｒ内に落下して貯留されるようになっている。
【００２８】
バッファタンク２００Ｌ，２００Ｒにおける下流側の側板２００ａの下部には下部流出口２３ａが形成されており、該下部流出口２３ａからは、後述する揚送装置にパチンコ球を誘導する中継樋２４Ｌ，２４Ｒが、揚送装置２５に向けて下方に傾斜するようにそれぞれ延設されている。
【００２９】
島タンク９Ｌ，９Ｒとバッファタンク２００Ｌ，２００Ｒとの間には、第１のタンクとしての島タンク９Ｌ，９Ｒに貯留されているパチンコ球を、第２のタンクとしてのバッファタンク２００Ｌ，２００Ｒに揚送（移送）する移送装置としてのミニリフト２１０Ｌ，２１０Ｒが、前後の側部樋１７Ｌ，１７Ｌに挟まれるようにして設けられている。ミニリフト２１０Ｌ，２１０Ｒの下部には、島タンク９Ｌ，９Ｒの内部と連通する流入口２１０ａが形成されており、ミニリフト２１０Ｌ，２１０Ｒを駆動することにより、島タンク９Ｌ，９Ｒ内のパチンコ球が自然流下によりミニリフト２１０Ｌ，２１０Ｒ内部に流入して揚送され、上部に形成された排出口２１０ｂから、バッファタンク２００Ｌ，２００Ｒ内に排出されるようになっている。
【００３０】
バッファタンク２００Ｌ，２００Ｒ内部には、ミニリフト２１０Ｌ，２１０Ｒの前後に配設される側部樋１７Ｌ，１７Ｒの下流側端部が、島タンク９Ｌ，９Ｒ側の側板２００ｂにおける所定高さ位置で貫通して配設されている。バッファタンク２００Ｌ，２００Ｒの内部における前後の側部樋１７Ｌ，１７Ｌまたは側部樋１７Ｒ，１７Ｒの間には、上面が開口する箱型のミニタンク２０１Ｌ，２０１Ｒがミニリフト２１０Ｌ，２１０Ｒ側に隣接して配設されており、該ミニタンク２０１Ｌ，２０１Ｒ内には、ミニリフト２１０Ｌ，２１０Ｒにより揚送されて排出口２１０ｂから排出されたパチンコ球が落下するようになっている。
【００３１】
そして、バッファタンク２００Ｌ，２００Ｒから中継樋２４Ｌ，２４Ｒを介して自然流下したパチンコ球は、揚送装置２５内に流入し、揚送装置２５により揚送された後、上部タンク３内に貯留される。
【００３２】
これら遊技機設置島１内に配設される供給樋４、支流樋５、オーバーフロー樋１２、オーバーフロー管１８、下部樋１０Ｌ，１０Ｒ、側部樋１７Ｌ，１７Ｒ、ミニリフト２１０Ｌ，２１０Ｒ、バッファタンク２００Ｌ，２００Ｒ、中継樋２４Ｌ，２４Ｒ、揚送装置２５とにより、遊技機設置島１内におけるパチンコ球の循環経路が構成されている。
【００３３】
また、遊技機設置島１内には、揚送装置２５及びミニリフト２１０Ｌ，２１０Ｒを制御する移送装置制御手段としての制御装置（図示略）が設けられている。また、この制御装置（図示略）には、揚送装置２５、ミニリフト２１０Ｌ，２１０Ｒ、計数装置１５、が接続されているとともに、前記上部タンク３、島タンク９Ｌ，９Ｒ、ミニタンク２０１Ｌ，２０１Ｒ内に設けられた後述する各種のセンサが接続されており、各種センサからの検出状況、つまり各タンクにおけるパチンコ球の貯留状況と、揚送装置２５の駆動状況や計数装置１５からの球の返却状況等に応じて、揚送装置２５やミニリフト２１０Ｌ，２１０Ｒの駆動制御を実施してパチンコ球を揚送し、遊技機設置島１内を循環させるようになっている。また、制御装置は通信ユニットを介して図示しないホールコンピュータなどの管理装置等に接続されていて、例えば、揚送装置２５やミニリフト２１０Ｌ，２１０Ｒ等が停止した場合に、該駆動が停止した旨を前記管理装置等に送信するようになっている。
【００３４】
また、通常時においては、パチンコ機２から排出されて側部樋１７Ｌ，１７Ｒに回収されるパチンコ球が、島タンク９Ｌ，９Ｒ内に貯留されているパチンコ球よりも優先して揚送装置２５内に流入して揚送されるようになっている。そして、上部タンク３内におけるパチンコ球の貯留量が所定レベル以下となった場合等に、ミニリフト２１０Ｌ，２１０Ｒ等を駆動して、島タンク９Ｌ，９Ｒ内に貯留されているパチンコ球を上部タンク３内に揚送する。
【００３５】
尚、本実施例における遊技機設置島１は、上部タンク３や島タンク９Ｌ，９Ｒ内部に貯留されたパチンコ球のみを制御により循環して使用するいわゆる独立式の遊技機設置島であるが、例えば遊技場内に並設される他の遊技機設置島と上部タンク同士を適宜連結樋等により連結して、他の遊技機設置島間でパチンコ球の貯留量の調整を行うことができるようにしてもよい。また、遊技者が獲得したパチンコ球を計数する計数装置が各パチンコ機２に対応して設けられ、各遊技機設置島内においてパチンコ球を循環使用することが可能に構成されたユニット式の遊技機設置島であってもよい。
【００３６】
次に、揚送装置２５の詳細な構造について説明する。図４は、（ａ）は揚送装置を斜め前側から見た状態を示す斜視図であり、（ｂ）は揚送装置を斜め後ろ側から見た状態を示す斜視図である。図５は、揚送装置の内部構造を示す縦断面図である。図６は、図５のＢ−Ｂ断面図である。図７は、揚送装置の下部構造を示す要部拡大断面図である。図８は、アール状通路カバー及び球導入通路カバーを示す斜視図である。図９は、同じくアール状通路カバー及び球導入通路カバーを示す斜視図である。図１０は、（ａ）はアール状通路カバーを示す平面図であり、（ｂ）は（ａ）のＤ矢視図である。図１１は、（ａ）は図１０（ａ）のＣ−Ｃ断面図であり、（ｂ）は（ａ）のＥ−Ｅ端面図であり、（ｃ）は（ａ）のＦ−Ｆ端面図である。図１２は、異物が挟まった状態を示すアール状通路カバーを示す作用図である。図１３は、（ａ）は揚送装置の下部を示す断面図であり、（ｂ）はアール状通路カバーを取り外す状態を示す断面図である。
【００３７】
尚、以下において、図５〜図７の左側を揚送装置の前面側、右側を揚送装置の後面側、手前側を揚送装置の右側、奥側を揚送装置の左側として説明する。
【００３８】
揚送装置２５は、図４及び図５に示されるように、床面上にアンカー固定されるベース板１１０上に立設される上下方向に延びる柱状の本体１００と、本体１００の上部に設けられた左右方向を向く上部軸１０１ａ周りに回動自在に設けられる上部ローラ１０１と、本体１００の下部に設けられた左右方向を向く下部軸１０２ａ周りに回動自在に設けられる下部ローラ１０２と、これら上部ローラ１０１と下部ローラ１０２とに掛け渡される所定幅を有する無端帯状の搬送ベルト１０３と、本体１００の後面側の一側辺を中心に回動自在に設けられ、上下方向に延びる直線状通路１１５（図５参照）を形成する直線状通路カバー１０４と、下部ローラ１０２の下方に配置され、該下部ローラ位置における搬送ベルト１０３にパチンコ球を押圧するために該下部ローラ１０２の外周面に沿って略円弧状に形成されたアール状通路部材としてのアール状通路カバー１０５と、該下部ローラ１０２の下方におけるアール状通路カバー１０５の反対側に対向して配置され、アール状通路カバー１０５にパチンコ球を誘導する球導入部材としての球導入通路カバー１０６と、から主に構成されている。
【００３９】
これら搬送ベルト１０３の外面に対向して配置される上部通路カバー１１８、直線状通路カバー１０４、アール状通路カバー１０５、球導入通路カバー１０６は、上部ローラ１０１及び下部ローラ１０２の回転により周回する搬送ベルト１０３にパチンコ球を押圧して揚送するための通路部材を構成している。
【００４０】
尚、下部ローラ１０２は、本体下部に設けられる図示しない揚送モータにより駆動する駆動ローラとされ、上部ローラ１０１は従動ローラとされており、図５中矢印方向（時計回り）に回転するようになっている。また、図５に示されるように、下部ローラ１０２の上方には複数の従動ローラ１０７〜１０９が配置されており、これら従動ローラ１０７〜１０９にも搬送ベルト１０３が掛け渡されるようになっているとともに、これらのうちいずれかは、搬送ベルト１０３の張力を調整可能なテンションローラとされている。
【００４１】
直線状通路カバー１０４は、図４に示されるように、本体１００の後面側、つまり搬送ベルト１０３の上昇側の外面を開閉自在に設けられ、側端面に突設された上・中・下段の係止ピン１１２ａ〜１１２ｃに、本体１００に枢着された上・中・下段の係止部材１１１ａ〜１１１ｃが係止されることで、閉塞位置にてロックできるようになっている。
【００４２】
直線状通路カバー１０４の内面には、特に図６に示されるように、上下方向に延設される直線状通路１１５を形成するための略半球状の凹溝１１３が複数列（本実施例では７列）並設して形成された縦長の通路板１１４が配置されており、直線状通路カバー１０４を閉塞位置に位置したときに、搬送ベルト１０３の外面に対向配置され、これら複数の凹溝１１３により、上下方向に延びる複数列の直線状通路１１５が形成される。
【００４３】
そしてこれら各凹溝１１３にガイドされる各直線状通路１１５内のパチンコ球Ｐは、この通路板１１４により搬送ベルト１０３に押圧されることにより、搬送ベルト１０３の移動により通路内を上方に向けて移動して揚送されるようになっている。
【００４４】
また、この通路板１１４の内面側には、各通路内を移送するパチンコ球を清浄する清浄布１１６が敷設されていることで、この清浄布１１６を介して通路板１１４によりパチンコ球Ｐが搬送ベルト１０３に向けて押圧されることで、搬送ベルト１０３の移動により、パチンコ球Ｐが清浄布１１６に摺接されながら移送されるため、パチンコ球が揚送とともに清浄されるようになっている。つまり、本実施例における揚送装置２５は、パチンコ球Ｐを清浄しながら揚送する揚送清浄装置である。
【００４５】
この清浄布１１６は帯状をなし、直線状通路カバー１０４の通路板１１４の内面に沿って上下方向に敷設されるとともに、その上下端は、所定の張力をかけた状態で直線状通路カバー１０４の上下端部にてそれぞれ外向きに折り返され、直線状通路カバー１０４の外面下部に設けられた布バンド１１７（図５参照）にて止めることができるようになっている。このようにして敷設される清浄布１１６は、パチンコ球との摺接面が汚れた場合、布バンド１１７によるストッパを解除することにより、新規な清浄布１１６と交換することができるようになっている。
【００４６】
このように直線状通路カバー１０４により形成される直線状通路１１５は、図５に示されるように、上部軸１０１ａから下部軸１０２ａにかけて本体１００の前面側、つまり搬送ベルト１０３の上昇側に形成されている。そして直線状通路１１５を上方に移送されたパチンコ球Ｐは、本体１００の上部に設けられた上部通路カバー１１８により形成される円弧状の上部通路１１９により前面側（図５中右側）に折り返された後、該上部通路カバー１１８に連設された排出カバー１２０内を流下して、該排出カバー１２０に形成された排出口３８から排出され、上部タンク３内に貯留されるようになっている。
【００４７】
直線状通路１１５の下方、つまり上流側には、前述したアール状通路カバー１０５により形成されるアール状通路１２１が形成されており、本体１００の前面側下部に設けられた球流入口１２２から流入されるパチンコ球を、上方の直線状通路１１５に向けて誘導するようになっている。
【００４８】
アール状通路１２１には、このアール状通路カバー１０５の上流側にある球流入口１２２に設けられる球導入通路カバー１０６により形成される球導入通路１２３を流下するパチンコ球Ｐが流入されるようになっている。
【００４９】
球導入通路カバー１０６の上流側端部には、図７に示されるように、前述した中継樋２４Ｌ，２４Ｒを流下してきたパチンコ球が合流する合流部１２４が設けられている。合流部１２４は、左右の中継樋２４Ｌ，２４Ｒの端部間下方位置に配設された合流板１２５と、該合流板１２５の下方に配置されたスノコレール１２６と、から構成されている。尚、図７中の符号１２７は、左右の中継樋２４Ｌ，２４Ｒの端部間に配設される仕切り板であり、対向する樋から流出されるパチンコ球により流下が制限されることが防止されるようになっている。
【００５０】
合流板１２５には、中継樋２４Ｌ，２４Ｒの端部から流出されたパチンコ球を落下させるための直径約２０ｍｍの大径穴１２５ａが複数箇所に形成されており、この合流板１２５の上方から落下されてくるパチンコ球が大径穴１２５ａから落下されることにより、例えばパチンコ球の貸し出しに使用されるプリペイドカード等の大きな異物が捕捉され、揚送装置２５への進入が防止されるようになっている。
【００５１】
大径穴１２５ａから落下したパチンコ球は、球導入通路１２３に向けて下方に傾斜するように配設されたスノコレール１２６（図８参照）を流下して、球導入通路１２３内に流入するようになっている。そして、このスノコレール１２６上に落下して流下する際に、大径穴１２５ａを落下してきた異物が、スノコレール１２６の間隙から、下方に設けられた空間１２８に落下して除去されるようになっている。
【００５２】
尚、大径穴１２５ａの直径は、合流部１２４に流入するパチンコ球をその下方のスノコレール１２６上に大量に落下させることなく、適量ずつ落下させることが可能な大きさに設定されている。このようにスノコレール１２６上へのパチンコ球の流出量を抑制することで、スノコレール１２６やその下流側の球導入通路１２３上に多量のパチンコ球が流入して充満することにより、流入口１１２付近の下部ローラ１０２や搬送ベルト１０３に高い球圧がかり、下部ローラ１０２を回転駆動させる揚送モータ（図示略）等に過剰な負荷が加わることが防止されている。
【００５３】
このように構成される揚送装置２５は、中継樋２４Ｌ，２４Ｒを流下して合流部１２４に排出されて合流し、スノコレール１２６、球導入通路１２３により誘導されて球流入口１２２を介して内部に流入したパチンコ球を、搬送ベルト１０３の移動により、アール状通路１２１及び直線状通路１１５、上部通路１１９内を移送させ、清浄布１１６により清浄しながら上方へ揚送し、本体１００の上部に設けられた排出口３８から排出することができるようになっている。
【００５４】
次に、アール状通路カバー１０５、球導入通路カバー１０６、スノコレール１２６の詳細な構造を、図８〜図１２に基づいて説明する。
【００５５】
まず、スノコレール１２６は、図８及び図９に示されるように、パチンコ球の流下通路の側面を形成する８本の側壁レール１３０と、各側壁レール１３０間に配設され、パチンコ球の流下通路の底面を構成する７本の底壁レール１３１と、これら側壁レール１３０及び底壁レール１３１を一体化するベース体１３２と、から構成され、７列の流下通路１３５が形成されている。また、各底壁レール１３１の側方には開口１３３が複数形成されており、これら開口１３３を介して異物がベース体１３２の下方に落下するようになっている。
【００５６】
球導入通路カバー１０６は、ポリカーボネート等の合成樹脂材等により形成され、パチンコ球の流下通路の側面を形成する８枚の側板１４０と、各側板１４０間に配設され、パチンコ球の流下通路の底面を構成する７枚の底板１４１と、から構成され、これら床面上に立設される各側板１４０が底板１４１により互いに一体化され、各側板１４０間に７列の球導入通路１２３が形成されている。
【００５７】
各側板１４０における下部ローラ１０２との対向端面は、下部ローラ１０２の下部軸１０２ａを中心とする円弧状に切り欠かれており、図７に示されるように、搬送ベルト１０３の外面に近接して配置できるようになっている。より具体的には、各側板１４０における下部ローラ１０２との対向端面は、下部ローラ１０２の円周の約１／４に相当する曲面にて構成されている。このように球導入通路カバー１０６は、それぞれ床面上に立設され、通路幅方向に等間隔おきに並設される複数の側板１４０と、各側板１４０，１４０間に配置される底板１４１と、からなり、下部ローラ１０２との対向部が湾曲状に凹設される立方体形状に形成されている。
【００５８】
各底板１４１は、球導入通路１２３の長手方向に延設される帯板状の板材にて構成され、スノコレール１２６側端部からアール状通路カバー１０５側端部に向けて下方に向けて傾斜する平坦な傾斜底面を構成しており、スノコレール１２６からのパチンコ球を流下によりアール状通路１２１に誘導するようになっている。
【００５９】
また、通路幅方向の両端の側板１４０，１４０の下端からは、球導入通路カバー１０６をベース板１１０に固定するための固定片１４２が外向きに連設されており、該固定片１４２に形成された取付穴１４３に固定ネジ（図示略）を挿通してベース板１１０に螺入することで、ベース板１１０に固定することができるようになっている。
【００６０】
このように構成された球導入通路カバー１０６は、左右側の側板１４０の下端がベース板１１０上に設置されるようになっており、図７に示されるように、本体１００の後面側から、下部ローラ１０２の下部後面側とベース板１１０との間の空間に下流側端部（前端部）を差し込み、各側板１４０における下部ローラ１０２との対向端面を搬送ベルト１０３に近接させた状態で配置される。
【００６１】
アール状通路カバー１０５は、パチンコ球Ｐの直径Ｌ１よりも広い間隔Ｌ２，Ｌ２’で離間配置され、アール状通路１２１の側面を形成するとともに、下部ローラ１０２の回転方向に沿って遊技球を案内するガイド部材としてのガイド板１５０と、隣り合うガイド板１５０，１５０との間にパチンコ球の直径（Ｌ１）よりも狭い間隙（Ｓ１）を設けて配置され、下部ローラ１０２に掛け渡された搬送ベルト１０３に対してパチンコ球を押圧するための押圧面部としての押圧面１５１ａを有する押圧部材としての押圧板１５１と、から構成されている。ガイド板１５０は、耐熱性、耐摩耗性に優れるとともに、押圧板１５１よりも硬度が高いポリカーボネート（例えばロックウェル硬度Ｍスケール６５〜７８、Ｒスケール１２１〜１２７）等の合成樹脂材にて板状に構成され、これらガイド板１５０は、上流側片１５２、下流側片１５３、下流側下片１５４と、中間ガイド片１５５の一部により互いに一体化されて本体部を構成している。
【００６２】
尚、これら上流側片１５２、下流側片１５３、下流側下片１５４、中間ガイド片１５５以外の部位は開放されているので、ガイド板１５０と押圧板１５１との間の間隙Ｓ１に、異物が押圧板１５１の押圧面１５１ａよりも奥側に押し込まれやすくなっている。
【００６３】
また、本実施例では、ガイド板１５０及び押圧板１５１は、上下方向に延在する平板部を全体に有する板材にて構成されているが、本発明はこれに限定されるものではなく、例えばガイド板１５０における下部ローラ１０２との対向端面近傍や、押圧板１５１の押圧面１５１ａ近傍等の一部のみが平板部にて構成される部材にて構成されていてもよい。
【００６４】
各ガイド板１５０は、側面視略三角形状に形成され、それぞれベース板１１０上に縦向きに立設される。下部ローラ１０２との対向端面は、下部ローラ１０２の下部軸１０２ａを中心とする円弧状に切り欠かれており、図７に示されるように、搬送ベルト１０３の外面に近接して配置できるようになっている。より具体的には、各ガイド板１５０における下部ローラ１０２との対向端面は、下部ローラ１０２の円周の約１／４に相当する曲面にて構成されている。このようにアール状通路カバー１０５は、それぞれ床面上に立設され、通路幅方向に等間隔おきに並設される複数のガイド板１５０と、各ガイド板１５０，１５０間に配置される押圧板１５１と、からなり、下部ローラ１０２との対向部が湾曲状に凹設される立方体形状に形成されている。
【００６５】
また、通路幅方向の両端のガイド板１５０，１５０の下端からは、アール状通路カバー１０５をベース板１１０に取り付けるための取り付け片１５６が外向きに連設されており、該取り付け片１５６に形成された取付穴１５７に取付ネジ１５８（図１３（ａ）参照）を挿通してベース板１１０に螺入することで、ベース板１１０に対して取り外し自在に取り付けできるようになっている。
【００６６】
各ガイド板１５０の下端面１５０ａにおける上流側（球導入通路カバー１０６側の下面）には、上流側端部、つまり球導入通路カバー１０６に向けて上方に傾斜する傾斜面１５０ｂが形成されており、後述するように、アール状通路カバー１０５を取付位置から取り外す際に、上流側端部を下方に傾けることができるようになっている。
【００６７】
また、図１０（ａ）に示されるように、各ガイド板１５０における上流側は、下流側に比べて厚みが薄い肉薄部１５９が形成されており、これによりアール状通路１２１の上流側の幅寸法Ｌ２’が下流側の幅寸法Ｌ２に比べて広くなっている。具体的には、アール状通路１２１の下流側の幅寸法Ｌ２及び上流側の幅寸法Ｌ２’は、パチンコ球Ｐの直径Ｌ１よりも大寸とされている（Ｌ１＜Ｌ２＜Ｌ２’）。これにより、球導入通路１２３から流入されたパチンコ球の受け入れ口が広くなるので、接合部における球詰まり等が生じにくく、また、異物が後述する変形許容空間部１６４から落下されやすくなっている。
【００６８】
上流側片１５２と下流側片１５３との対向面及び後述する中間ガイド片１５５における各ガイド板１５０間には、各押圧板１５１を上下方向に抜き差しする（図８参照）ための上下方向を向くガイド溝１５２ａ，１５３ａ，１５５ａがそれぞれ形成されており、これら押圧板１５１が挟持されるようになっている。これらガイド溝１５２ａ，１５３ａ，１５５ａにガイドされた押圧板１５１は、図１１（ａ）に示されるように、下流側下片１５４の上端及び中間ガイド片１５５に形成されたガイド溝１５５ａの下端により下方から受支され、位置決めされるようになっている。
【００６９】
各ガイド板１５０の下流側端部（上端）の両側面からは、下流側片１５３の上端に連設される水平方向に延びる水平ガイド片１６０が通路内に向けて突設されているとともに、これら水平ガイド片１６０の先端からは、ガイド板１５０の円弧状端面に沿う円弧状ガイド片１６１が上流側（下方）に向けて連設されている。また、円弧状ガイド片１６１の上流側には、円弧状ガイド片１６１と同曲率の円弧状ガイド片１６２が各ガイド板１５０の側面から通路内に向けて突設されており、この円弧状ガイド片１６２の上流側端部下面からは、前述した中間ガイド片１５５が下方に向けて垂設されている。これら水平ガイド片１６０、円弧状ガイド片１６１、１６２、中間ガイド片１５５の対向端面は、互いに押圧板１５１の肉厚とほぼ同寸法分離間され、これら対向端面間に押圧板１５１を挿通できるようになっており、該挿通された押圧板１５１を左右側から挟持してガイドするようになっている。
【００７０】
尚、中間ガイド片１５５は、上記のように、隣り合うガイド板１５０，１５０の対向面間からそれぞれ突設された円弧状ガイド片１６２，１６２の上流側端部下面から下方に向けて互いに別個に連設されているが、これらは下部において互いに連結されているため、前述したガイド溝１５５ａは上下方向に延びる有底のガイド溝として形成されているとともに、下部において隣り合うガイド板１５０，１５０同士を連結している。
【００７１】
円弧状ガイド片１６１，１６２の上面は、押圧板１５１の端面、つまりアール状通路１２１の底面よりも若干低い位置に配置され、通過するパチンコ球Ｐには当接しないようになっており、後述する押圧板１５１における押圧面１５１ａ近傍の側面を、幅方向の左右側から挟持することにより、通路の幅方向の弾性変形が防止されている。
【００７２】
また、円弧状ガイド片１６１の上流側端部と円弧状ガイド片１６２の下流側端部との間は所定距離離間されて変形許容空間部１６３が形成されているとともに、円弧状ガイド片１６２の上流側端部と上流側片１５２との間は所定距離離間されて変形許容空間部１６４が形成されている。つまり、後述する押圧板１５１の押圧面１５１ａは、これら変形許容空間部１６３，１６４の２箇所において容易に弾性変形可能になっている。
【００７３】
各ガイド板１５０には、後述する押圧板１５１を保持するための２本の貫通ピン１６５ａ，１６５ｂが挿通される貫通穴１６６ａ，１６６ｂが２箇所ずつ形成されており、貫通ピン１６５ａ，１６５ｂをそれぞれアール状通路１２１の幅方向のいずれか一方の側方から挿通させることができるようになっている。
【００７４】
このように、ガイド板１５０と押圧板１５１は上下方向に延在する平板部を有してなり、これらの平板部に形成した貫通穴１６６ａ，１６６ｂに挿通ピン１６５ａ，１６５ｂを挿通させることで、各押圧板１５１を、複数のガイド板１５０が一体化されてなる本体部に固定することができるため、ガイド板１５０に対して押圧板１５１を簡単に組み付けることができる。
【００７５】
また、上流側片１５２における球導入通路カバー１０６との対向面には、球導入通路カバー１０６の下部空間に差し込まれる差込片１６７が突設されており、これにより上流側端部が球導入通路カバー１０６に係止されて浮き上がりが防止されるようになっている。
【００７６】
押圧板１５１は、図８に示されるように、下部ローラ１０２との対向端面、つまり、アール状通路１２１の底面、つまり、パチンコ球が接触（転動または摺動）するとともに、該パチンコ球を搬送ベルト１０３に向けて押圧する押圧面部を構成する押圧面１５１ａが、下部ローラ１０２の下部軸１０２ａを中心とする円弧状に切り欠かれてなる側面視略Ｌ字形に形成された板状の硬質ウレタン樹脂材にて構成されている。この硬質ウレタン樹脂材は、ＪＩＳ規格におけるゴム硬度９０のものが使用されているが、このゴム硬度は、パチンコ球Ｐを搬送ベルト１０３に押圧でき、かつ、後述するように異物による負荷が加わった際に弾性変形しうる程度の硬度であれば、その数値範囲は例えばＨＳ６０〜１００でもよい。
【００７７】
各押圧板１５１の下流側端部（上端）には、上方に開口する側面視略Ｕ字形の切欠溝１６８が形成されており、これにより押圧面１５１ａにおける下流側端部が外向きに弾性変形しやすくなっているため、アール状通路１２１における下流側端部、つまり直線状通路１１５との接合部付近においてパチンコ球に加わる圧力が逃がされるようになっている。
【００７８】
また、各押圧板１５１には、各ガイド板１５０間の定位置に配置された状態において、各ガイド板１５０に形成された貫通穴１６６ａ，１６６ｂの軸心と合致して、２本の貫通ピン１６５ａ，１６５ｂが挿通される貫通穴１６９ａ，１６９ｂが２箇所ずつ形成されており、貫通ピン１６５ａ，１６５ｂが挿通されることにより、各ガイド板１５０間に設けられた定位置（図９参照）から上方への逸脱が規制される。
【００７９】
このように構成されたアール状通路カバー１０５は、左右側のガイド板１５０の下端がベース板１１０上に設置されるようになっており、図７に示されるように、本体１００の前面側から、下部ローラ１０２の下部前面側とベース板１１０との間の空間に上流側端部（後端部）を差し込み、各ガイド板１５０における下部ローラ１０２との対向端面を搬送ベルト１０３に近接させた状態で配置される。
【００８０】
次に、このように構成されるアール状通路カバー１０５における作用を、図面に基づいて説明する。
【００８１】
まず、このように構成されるアール状通路カバー１０５は、図７に示されるように、下部ローラ１０２の下方前面側に対向して配置されることにより、アール状通路１２１の上流側端部と下部ローラ１０２の下方後面側に対向して配置される球導入通路１２３の下流側端部とが接続され、該球導入通路１２３から流下するパチンコ球が、下部ローラ１０２位置における搬送ベルト１０３の外面と、ガイド板１５０，１５０と、押圧板１５１の押圧面１５１ａとにより囲まれたアール状通路１２１内に進入するようになる。アール状通路１２１内に進入したパチンコ球Ｐは、押圧板１５１の押圧面１５１ａにより回転する搬送ベルト１０３に向けて押圧されることで、搬送ベルト１０３の移動により、図７中矢印方向、つまり、下部ローラ１０２の最下端部の直下位置から、前面側に向けて該下部ローラ１０２の外周に沿うように上方に向けて移送されることになる。
【００８２】
このとき、押圧板１５１が硬質ウレタン樹脂材にて構成されていることで、その押圧板１５１の端面である押圧面１５１ａによりパチンコ球Ｐを搬送ベルト１０３に向けて弾性付勢できるため、押圧板１５１をガイド板１５０に対して搬送ベルト１０３に対して付勢するように設けたり、アール状通路カバー１０５自体を搬送ベルト１０３に向けて付勢するように設けなくても、パチンコ球Ｐに搬送ベルト１０３方向への付勢力を適宜付与することができるため、パチンコ球を搬送ベルト１０３に確実に押し当てて移送することができる。
【００８３】
ここで、例えば図１２に示されるように、アール状通路１２１内に、パチンコ球とともに異物であるビスＢが進入した場合について説明すると、パチンコ球に押されてアール状通路１２１内に進入したビスＢの一部（例えば頭部）が、ガイド板１５０と押圧板１５１との対向面間に形成される間隙Ｓ１よりも大きくても、ビスＢには、常に搬送ベルト１０３からの押圧力が働いているため、変形許容空間部１６４に差し掛かったときに、搬送ベルト１０３による押圧力によりビスＢが押圧板１５１と左右のうち一方のガイド板１５０との間に強制的に押し込まれ、これにより押圧板１５１における押圧面１５１ａ及びその近傍部位、つまり押圧面部の少なくとも一部が幅方向に弾性変形することにより、押圧板１５１と一方のガイド板１５０との間隙Ｓ１が押し広げられて押圧板１５１とガイド板１５０との間にビスＢが嵌まり込む。
【００８４】
このように、押圧板１５１と隣り合う左右のガイド板１５０，１５０それぞれの間に間隙Ｓ１，Ｓ１が形成されているとともに、押圧板１５１が弾性変形自在な硬質ウレタン樹脂材にて構成されていることで、アール状通路１２１の押圧面部を構成する押圧板１５１の押圧面１５１ａ及びその近傍部位が通路の幅方向に変形可能になっている、つまり隣り合うガイド部材１５０，１５０間で弾性変形可能に形成されているため、ビスＢが変形許容空間部１６４またはその下流側の変形許容空間部１６３を通過する際に、押圧板１５１と一方のガイド板１５０との間がビスＢにより押し広げられてそれらの間に嵌まり込みやすい。すなわち、押圧板１５１の通路幅方向の両側にそれぞれ間隙Ｓ１，Ｓ１が形成されていることで、押圧板１５１がいずれかのガイド板１５０側に押し広げられることが許容されているため、押圧板１５１を境にしてビスＢが嵌り込む側の間隙Ｓ１は通路幅方向に押し広げられ、他方の間隙Ｓ１は通路幅方向に狭まることになるため、ガイド板１５０と押圧板１５１との対向面間に形成される間隙Ｓ１よりも大きい部位を有するビスＢ等の異物が進入した場合でも、異物がパチンコ球Ｐとともに移送されることが効果的に防止される。
【００８５】
尚、上流側の変形許容空間部１６４においては、アール状通路１２１内に流入したパチンコ球を搬送ベルト１０３に向けて押圧する最初の部分なので、異物が間隙Ｓ１に押し込まれやすく、また、下流側の変形許容空間部１６３においては、アール状通路１２１内においてパチンコ球の上方への揚送が開始されるため、パチンコ球を搬送ベルト１０３に向けて押圧する力が高い部分なので、異物が間隙Ｓ１に押し込まれやすくなっている。
【００８６】
また、押圧板１５１は弾性変形部材にて構成されていることで、ビスＢにより強制的に変形された後、その弾性復帰力が働くことで、嵌まり込んだビスＢが押圧板１５１とガイド板１５０との間に挟まれて抜けにくくなることで、後続のパチンコ球により押されても、該後続のパチンコ球とともに揚送されにくくなる。よって、異物をアール状通路１２１にて滞留させることができるため、搬送ベルト１０３の破損や、パチンコ機２へのパチンコ球の補給や遊技島台内におけるパチンコ球の循環に支障をきたすことが防止される。
【００８７】
また、押圧板１５１がガイド板１５０と同様にポリカーボネート樹脂材等により構成されている場合に比べて、押圧板１５１の押圧面１５１ａ及びその近傍部位の側面の摩擦係数が高く、間隙Ｓ１に向けて押し込まれた異物がより引っ掛かりやすくなる。
【００８８】
次に、上記のように、アール状通路１２１内で球詰まりが生じた場合や、定期的なメンテナンス作業を行う際における、アール状通路カバー１０５の取り外し状況を説明する。
【００８９】
まず、上記のように、複数列のうちいずれかのアール状通路１２１内で球詰まりが生じた場合、まず本体１００の直線状通路カバー１０４を開放し、清浄布１１６の内面に付着した上下方向に延びる筋状の汚れ（図示略）を確認する。これら筋状の汚れは、各直線状通路１１５に対応して生じるものであるため、正常に清浄が行われている場合は、７本の通路に対応して７列の筋状の汚れが生じるが、例えば上記のように、アール状通路１２１において異物が嵌まり込んで球詰まりが生じると、その列の筋状の汚れのみが他に比べて薄くなるため、これにより球詰まりが生じていることを認識することができる。
【００９０】
そしてアール状通路カバー１０５を取付位置から取り外す場合、図１３（ａ）に示されるように、まず左右の取付ネジ１５８を取り外す。そして、図１３（ｂ）に示されるように、アール状通路カバー１０５における上流側を若干下方（図１３（ｂ）中白矢印方向）に傾けた状態で、ベース板１１０の上面を手前側（図１３（ｂ）中２点鎖線矢印方向、下部ローラ１０２の軸心方向（下部軸１０２ａの長手方向）に交差する方向）に向けてスライド移動させて引き出せばよい。
【００９１】
このように、下部ローラ１０２の下方に対向して配置されていても、球導入通路カバー１０６を取り外すことなく、ベース板１１０の上面を手前側に向けてスライドさせるように引き出すだけで簡単にベース板１１０から取り外すことができる。この際、ガイド板１５０の下端面１５０ａの上流側（球導入通路カバー１０５側）に傾斜面１５０ｂが形成されていることで、アール状通路カバー１０５を傾けることができるため、パチンコ球Ｐがアール状通路１２１内に残存している状態であっても、ガイド板１５０を搬送ベルト１０３と干渉させることなく、スムーズに引き出すことができる。
【００９２】
以上説明したように、本発明の実施例としての揚送装置２５にあっては、アール状通路１２１内に進入した釘やボルト等の異物の一部がガイド板１５０と押圧板１５１との間の間隙Ｓ１よりも大きい場合でも、押圧板１５１の押圧面部を構成する押圧面１５１ａ及びその近傍部位が弾性変形することにより、異物がガイド板１５０と押圧板１５１との間の間隙Ｓ１に嵌りやすくなるとともに、間隙Ｓ１に嵌った異物は押圧板１５１の弾性復帰力によりガイド板１５０と押圧板１５１との間に挟まれて抜けにくくなることで、後続のパチンコ球Ｐにより押されても、該後続球とともに揚送されにくくなる。よって、異物をアール状通路１２１にて滞留させることができるため、搬送ベルト１０３の破損や、パチンコ機２へのパチンコ球Ｐの補給に支障をきたすことが防止される。
【００９３】
また、本実施例では、押圧板１５１の押圧面１５１ａは、アール状通路１２１の長手方向における変形許容空間部１６３，１６４でのみ部分的に変形可能に設けることにより、押圧板１５１の過剰な変形を防止しているが、押圧板１５１の硬度等に応じて、アール状通路１２１の全長にわたり変形可能に設けてもよい。
【００９４】
また、特にアール状通路１２１にパチンコ球を誘導する球導入通路１２３においては、スノコレール１２６のように異物が落下可能に構成せず、通路底面を底板１４１にて構成して、下流側のアール状通路１２１に異物を送り込むようにすることで、ベース板１１０に固定される球導入通路カバー１０６内の球導入通路１２３にて異物が嵌り込み、取り出せなくなることが防止される。
【００９５】
次に、本発明の変形例としてのアール状通路カバーを、図１４〜図１６に基づいて説明する。図１４は、（ａ）は変形例１としてのアール状通路カバーの押圧板を示す側面図であり、（ｂ）は（ａ）の押圧板の縦断面図であり、（ｃ）は（ａ）のＧ−Ｇ端面図である。図１５は、（ａ）は変形例２としてのアール状通路カバーの押圧板を示す側面図であり、（ｂ）は（ａ）のＨ−Ｈ端面図である。図１６は、（ａ）は変形例３としてのアール状通路カバーを示す平面図であり、（ｂ）は異物が嵌った状態を示す平面図であり、（ｃ）は（ｂ）のＪ−Ｊ端面図である。
【００９６】
図１４に示す変形例１としてのアール状通路カバー１０５Ａは、ガイド板１５０及び押圧板１５１がポリカーボネート樹脂材にて構成されている。そして押圧板１５１の両側面における押圧面１５１ａの近傍部位には、硬質ウレタン樹脂材からなる一対の帯状弾性部１８０ａ，１８０ｂが、円弧状の押圧面１５１ａに沿って設けられている。これら各一対の帯状弾性部１８０ａ，１８０ｂは、それぞれ所定の上下幅（例えば約１５ｍｍ）、所定の肉厚（例えば約３ｍｍ）の帯板状に形成され、押圧面１５１ａの長手方向における前記実施例の変形許容空間部１６３，１６４に対応する部位に、それぞれ別個に配置されている。
【００９７】
詳しくは、これら帯状弾性部１８０ａ，１８０ｂは、押圧板１５１の側面の一部を円弧帯状に凹設して形成された、側面及び上面が開放する円弧状凹部に帯板状の弾性部材を嵌合することにより、帯状弾性部１８０ａ，１８０ｂの表面とポリカーボネート樹脂材からなる押圧板１５１の表面とが略面一となるように、かつ、押圧面１５１ａの通路幅方向の両端側に配置される帯状弾性部１８０ａ，１８０ｂそれぞれの押圧面１８０ｃ，１８０ｃ（上端面）が、押圧板１５１の押圧面１５１ａとともに、パチンコ球を搬送ベルト１０３に対して押圧する押圧面部を構成するように設けられている（図１４（ｃ）参照）。
【００９８】
また、押圧板１５１における帯状弾性部１８０ａ，１８０ｂの下方に、側方に開放する貫通口１８１ａ，１８１ｂが形成されていることにより、押圧板１５１における帯状弾性部１８０ａ，１８０ｂの直下に、間隙Ｓ１よりもアール状通路１２１の幅方向に広い空間部Ｓ２が形成されている。そしてこれら貫通口１８１ａ，１８１ｂは、帯状弾性部１８０ａ，１８０ｂそれぞれの下端から下方に向けて延設されているため、帯状弾性部１８０ａ，１８０ｂの弾性変形によりガイド板１５０と押圧板１５１との間の間隙Ｓ１に嵌り込んだビスＢ等の異物が、そのままその直下の貫通口１８１ａ，１８１ｂにて形成された空間部Ｓ２に落下しやすくなることで、ビスＢが後続球とともに揚送されにくくなる。
【００９９】
また、間隙Ｓ１に押し込まれたビスＢがそのまま空間部Ｓ２に落下して収容されることにより、帯状弾性部１８０ａ，１８０ｂが弾性復帰されるため、例えば間隙Ｓ１にはまり込んだビスＢの一部がアール状通路１２１に突出して、その後のパチンコ球の移送に支障をきたすことがない。さらに、弾性部の直下に貫通口１８１ａ，１８１ｂが形成されることで、押圧板１５１における帯状弾性部１８０ａ，１８０ｂが設けられた部位の強度が若干低下して撓みやすくなるため、より弾性変形しやすくなる。
【０１００】
また、貫通口１８１ａ，１８１ｂの下端は押圧板１５１の下端まで延設されて開放されていないため、押圧板１５１を上方に抜き取れば、貫通口１８１ａ，１８１ｂに収容されているビスＢを、押圧板１５１とともに上方に取り出すことが可能となる。
【０１０１】
尚、本発明の開口部は、貫通口１８１ａ，１８１ｂのような開口だけでなく、弾性部下端から押圧板１５１の下端まで延設されて下方に開口する切欠部であってもよい。また、少なくとも間隙Ｓ１よりも通路幅方向に広い空間部Ｓ２を形成できれば、貫通口１８１ａ，１８１ｂのように押圧板１５１を貫通する貫通孔でなくても、側方に開口する有底の開口凹部であってもよい。
【０１０２】
前記実施例では、押圧板１５１自体が弾性変形自在な硬質ウレタン樹脂材にて構成されていたが、本発明はこれに限定されるものではなく、本変形例１のように、少なくとも押圧板１５１における押圧面１５１ａ及びその近傍部位の側面に、弾性変形自在な弾性部（帯状弾性部１８０ａ，１８０ｂ）が、押圧面１５１ａの長手方向に沿って形成されていれば、押圧板１５１全体が弾性変形せずに固定されていても、図１４（ｃ）に示されるように、一方のガイド板１５０と押圧板１５１との対向面間に形成される間隙Ｓ１が押し広げられ、ビスＢ等の異物が嵌り込みやすくなるため、前記実施例のアール状通路カバー１０５と同様の作用・効果を得ることができる。
【０１０３】
つまり、押圧板１５１における押圧面１５１ａとともに押圧面部を構成する押圧面１８０ｃ，１８０ｃ及び該押圧面１８０ｃ，１８０ｃに連続する側面の一部が帯状弾性部１８０ａ，１８０ｂにより形成されていれば、パチンコ球を搬送ベルト１０３に対して押圧するための押圧面部の少なくとも一部（押圧面１８０ｃ，１８０ｃ）が弾性変形することになるため、押圧板１５１全体を弾性変形可能にしなくても、ガイド板１５０と押圧板１５１との間の間隙Ｓ１にパチンコ球が嵌り込みやすくなる。
【０１０４】
また、弾性部は、必ずしもアール状通路１２１の長手方向にわたって連続して形成されていなくてもよく、帯状弾性部１８０ａ，１８０ｂのように、アール状通路１２１の長手方向の所定箇所に部分的に形成されていてもよい。さらに弾性部は、必ずしも押圧板１５１の側面における押圧面１５１ａから該押圧板１５１の下端まで延設されていなくてもよく、帯状弾性部１８０ａ，１８０ｂのように、押圧面１５１ａ近傍部位にのみ設けられていればよい。
【０１０５】
図１５に示す変形例２としてのアール状通路カバー１０５Ｂは、押圧板１５１Ａが、ポリカーボネート樹脂材にて構成される上下部１５１Ａ’、１５１Ａ’’と、下部１５１Ａ’に対して上部１５１Ａ’’を通路の幅方向に弾性変形自在とする硬質ウレタン樹脂材からなる帯状の弾性部１５１Ａ’’’と、から構成されている。
【０１０６】
前記実施例では、押圧板１５１全体を弾性変形自在な硬質ウレタン樹脂材にて構成し、これにより押圧板１５１の一部を変形させることで異物を嵌り込みやすくしていたが、本発明はこれに限定されるものではなく、本変形例２のように、少なくとも押圧板１５１における押圧面部を構成する押圧面１５１ａを有する上部１５１Ａ’’が、該押圧面１５１ａを除く押圧板１５１の一部（上下方向の略中央位置）に形成された水平方向に延びる弾性部１５１Ａ’’’を支点として、アール状通路１２１の幅方向に揺動可能に弾性変形するように形成されている、つまり押圧面１５１ａが隣り合うガイド部材１５０，１５０間で弾性変形可能に形成されていれば、図１５（ｂ）に示されるように、一方のガイド板１５０と押圧板１５１との対向面間に形成される間隙Ｓ１が押し広げられ、ビスＢ等の異物が嵌り込みやすくなる。
【０１０７】
よって、アール状通路１２１内に進入したビスＢ等の異物の一部がガイド板１５０と押圧板１５１との間の間隙Ｓ１よりも大きい場合でも、押圧面１５１ａを除く押圧板１５１の一部である弾性部１５１Ａ’’’が弾性変形して、その上部の該押圧面１５１ａを有する上部１５１Ａ’’がアール状通路１２１の幅方向に移動することにより、異物が間隙Ｓ１に嵌りやすくなるとともに、間隙Ｓ１に嵌った異物は、弾性部１５１Ａ’’’の弾性復帰力により上部１５１Ａ’’とガイド板１５０との間に挟まれて抜けにくくなることで、後続の遊技球により押されても、該後続球とともに揚送されにくくなる。従って、異物をアール状通路１２１にて滞留させることができるため、搬送ベルト１０３の破損や、パチンコ機２へのパチンコ球の補給に支障をきたすことが防止される。
【０１０８】
尚、この場合、弾性部１５１Ａ’’’が、押圧面１５１ａを有する上部１５１Ａ’’を定位置に弾性復帰させる弾性部を構成している。また、上部１５１Ａ’’は、貫通穴１６９ａが貫通ピン１６５ａよりも大径に形成されているため、弾性部１５１Ａ’’’を支点とする上部１５１Ａ’’の通路幅方向の揺動を許容するようになっているとともに、貫通穴１６９ａと貫通ピン１６５ａとの間には、弾性材からなる環状のリング１７１が嵌挿されていることで、上部１５１Ａ’’を支持できるようになっている。
【０１０９】
また、本変形例２では、弾性部１５１Ａ’’’は押圧板１５１の平面部における上下方向の略中央位置に水平方向に向けて形成されていたが、このような弾性部の形成位置や向き等は限定されるものではなく、押圧面部をアール状通路１２１の幅方向に向けて移動可能であれば、その形成位置や向きは種々に変更可能である。
【０１１０】
図１６に示す変形例３としてのアール状通路カバー１０５Ｃは、押圧板１５１Ｃが、ポリカーボネート樹脂材にて構成され、隣り合うガイド板１５０，１５０に対して、通路幅方向に移動自在に設けられる、つまり押圧面１５１ａが隣り合うガイド部材１５０，１５０間で弾性変形可能に形成されているとともに、さらに貫通ピン１６５ａに嵌挿された保持部としてのコイルバネ１７２，１７２により、ガイド板１５０，１５０間の定位置に弾性復帰自在に設けられている。
【０１１１】
このように、押圧板１５１Ｃ、つまりその上端面を構成する押圧面１５１ａがアール状通路１２１の幅方向にスライド移動自在に、かつ、保持部としてのコイルバネ１７２，１７２により定位置に弾性復帰自在に設けられていれば、図１６（ｂ）（ｃ）に示されるように、ガイド板１５０と押圧板１５１Ｃとの対向面間に形成される間隙Ｓ１の一部が押し広げられ、ビスＢ等の異物が嵌り込みやすくなるため、前記実施例のアール状通路カバー１０５と同様の作用・効果を得ることができる。
【０１１２】
また、この変形例３においても、押圧板１５１Ｃにおける押圧面１５１ａ（底面）の近傍部位から下方に向けて開口部（図示略）を形成することにより、押圧板１５１Ｃにおける押圧面１５１ａの直下に、ガイド板１５０と押圧板１５１Ｃとの間の間隙Ｓ１よりも通路方向に広い空間部Ｓ２が形成されるため、押圧板１５１Ｃの通路幅方向へのスライド移動によりガイド板１５０と押圧板１５１Ｃとの間の間隙Ｓ１に嵌り込んだビスＢ等の異物が、そのままその直下の開口部にて形成された空間部Ｓ２に落下しやすくなる。
【０１１３】
よって、アール状通路１２１内に進入したビスＢ等の異物の一部がガイド板１５０と押圧板１５１との間の間隙Ｓ１よりも大きい場合でも、保持部としてのコイルバネ１７２，１７２の弾性力に抗して押圧板１５１がアール状通路１２１の幅方向に向けて移動することにより、異物が間隙Ｓ１に嵌りやすくなるとともに、間隙Ｓ１に嵌った異物は、コイルバネ１７２，１７２の弾性復帰力により押圧板１５１とガイド板１５０との間に挟まれて抜けにくくなることで、後続の遊技球により押されても、該後続球とともに揚送されにくくなる。従って、異物をアール状通路１２１にて滞留させることができるため、搬送ベルト１０３の破損や、パチンコ機２へのパチンコ球の補給に支障をきたすことが防止される。
【０１１４】
また、本変形例３では、押圧板１５１をコイルバネ１７２により隣り合うガイド板１５０，１５０間の定位置に保持していたが、押圧板１５１を弾性力により定位置に保持しうるものであれば、保持部はコイルバネに限定されるものではなく、例えば板バネや、あるいはウレタン材やゴム材等にて保持部を構成してもよい。
【０１１５】
以上、本発明の実施例を図面により説明してきたが、具体的な構成はこれら実施例に限られるものではなく、本発明の要旨を逸脱しない範囲における変更や追加があっても本発明に含まれる。
【０１１６】
例えば、前記実施例及び変形例では、押圧部材としての押圧板１５１は、全体が平板部からなる板状部材にて構成されていたが、柱状、櫛状、通路方向に向けて幅方向に波打つ屈曲部材等にて構成されていてもよい。
【０１１７】
また、押圧部材としての押圧板１５１は、ガイド板１５０，１５０間に１枚ずつ設けられていたが、複数枚配置してもよい。
【０１１８】
また、前記実施例では、アール状通路１２１は、通路幅方向（下部ローラ１０２の軸心方向）に複数（７列）並設されていたが、複数列設けられるものに限定されるものではなく、１列であってもよいし、あるいは７列以外の複数列であってもよく、種々に変更可能である。
【０１１９】
また、ガイド部材としてのガイド板１５０は、ポリカーボネート樹脂材にて構成されていたが、少なくとも弾性部としての押圧板１５１よりも硬質の材質であれば、他の合成樹脂材や金属材等であってもよい。
【０１２０】
また、前記実施例では、アール状通路カバー１０５は、下部ローラ１０２の下方前面側に配置されるように構成されていたが、下部ローラ１０２の下方であれば、前後面側にかけて配置されるものであってもよい。
【０１２１】
また、前記実施例では、アール状通路カバー１０５は、ベース板１１０上に立設されるガイド板１５０及び押圧板１５１にて構成されていたが、必ずしも床面上に立設されるものに限定されるものではなく、少なくとも押圧面１５１ａ近傍に異物が嵌り込むのに必要な深さの間隙Ｓ１を有するものであれば、下部ローラ１０２の外周に沿って側面視略円弧状に構成されるものであってもよい。
【図面の簡単な説明】
【０１２２】
【図１】本発明の実施例としての遊技機設置島１の内部構造を示す断面図である。
【図２】図１のＡ−Ａ断面図である。
【図３】図１の遊技機設置島の長手方向の中央下部を示す平面図である。
【図４】（ａ）は揚送装置を斜め前側から見た状態を示す斜視図であり、（ｂ）は揚送装置を斜め後ろ側から見た状態を示す斜視図である。
【図５】揚送装置の内部構造を示す縦断面図である。
【図６】図５のＢ−Ｂ断面図である。
【図７】揚送装置の下部構造を示す要部拡大断面図である。
【図８】アール状通路カバー及び球導入通路カバーを示す斜視図である。
【図９】同じくアール状通路カバー及び球導入通路カバーを示す斜視図である。
【図１０】（ａ）はアール状通路カバーを示す平面図であり、（ｂ）は（ａ）のＤ矢視図である。
【図１１】（ａ）は図１０（ａ）のＣ−Ｃ断面図であり、（ｂ）は（ａ）のＥ−Ｅ端面図であり、（ｃ）は（ａ）のＦ−Ｆ端面図である。
【図１２】異物が挟まった状態を示すアール状通路カバーを示す作用図である。
【図１３】（ａ）は揚送装置の下部を示す断面図であり、（ｂ）はアール状通路カバーを取り外す状態を示す断面図である。
【図１４】（ａ）は変形例１としてのアール状通路カバーの押圧板を示す側面図であり、（ｂ）は（ａ）の押圧板の縦断面図であり、（ｃ）は（ａ）のＧ−Ｇ端面図である。
【図１５】（ａ）は変形例２としてのアール状通路カバーの押圧板を示す側面図であり、（ｂ）は（ａ）のＨ−Ｈ端面図である。
【図１６】（ａ）は変形例３としてのアール状通路カバーを示す平面図であり、（ｂ）は異物が嵌った状態を示す平面図であり、（ｃ）は（ｂ）のＪ−Ｊ端面図である。
【符号の説明】
【０１２３】
２５                  揚送装置
１０１                上部ローラ
１０２                下部ローラ
１０３                搬送ベルト
１０４                直線状通路カバー
１０５                アール状通路カバー
１０６                球導入通路カバー
１１０                ベース板
１１５                直線状通路
１２１                アール状通路
１２３                球導入通路
１５０                ガイド板
１５０ｂ              傾斜面
１５１                押圧板
１５１ａ              押圧面
１６３，１６４        変形許容空間部
１６５ａ，１６５ｂ    貫通ピン
１８０ａ，１８０ｂ    帯状弾性部
１８１ａ，１８１ｂ    貫通口
Ｓ１                  間隙
Ｓ２                  空間部
【図１】
2010057632.tif 000003
【図２】
2010057632.tif 000004
【図３】
2010057632.tif 000005
【図４】
2010057632.tif 000006
【図５】
2010057632.tif 000007
【図６】
2010057632.tif 000008
【図７】
2010057632.tif 000009
【図８】
2010057632.tif 000010
【図９】
2010057632.tif 000011
【図１０】
2010057632.tif 000012
【図１１】
2010057632.tif 000013
【図１２】
2010057632.tif 000014
【図１３】
2010057632.tif 000015
【図１４】
2010057632.tif 000016
【図１５】
2010057632.tif 000017
【図１６】
2010057632.tif 000018